(57)【要約】      （修正有）【課題】自動伸縮ドッグリードの安全解放装置を提供する。【解決手段】把持部を備え、リードを券回したターンテーブルを収容したケースに第一ガイドブロック１、第二ガイドブロック２、第三ガイドブロック３を備え、第一ガイドブロック１は、プッシュ片１１により第二ガイドブロック２を押し下げ及びスライド操作し、第二ガイドブロック２は、第一ガイドブロックの押し下げ操作により柱状体２１の廻りに回動し、第三ガイドブロック３は第二ガイドブロック２の連動片２４に挿通した心軸６を介して押し下げられて第二挿入軸４２の廻りに回動し、第三ガイドブロック３の定位片３３がリードを券回したターンテーブル外周の設けた制止ブロック４３１に接してその回転を制止する。【選択図】図７
0003218921.tif 000002
【実用新案登録請求の範囲】
【請求項１】
把持部を備えたケース内にリードを券回したターンテーブルを配置した自動伸縮ドッグリードの安全解放装置であって、
第一ガイドブロック、第二ガイドブロック、第三ガイドブロックを備え、
前記第一ガイドブロックは、スライド操作するためのプッシュ片、該プッシュ片を上方に突設し、スライド移動する移動片、該移動片下方に設置される第一挟片、及び該第一挟片下方に位置する第一挟体を備え、
前記第二ガイドブロックは、ケース体に設けた第一挿入軸孔の廻りに回動可能に該第二ガイドブロックを支持する柱状体、
該柱状体から延長する延伸部、前記第一ガイドブロックの移動片と第一挟片との間に挟持されてそのスライド移動をガイドする第二挟片、該延伸部から下方に延長形成されて芯軸を挿通する挿入孔を備える一対の連動片、及び該第二挟片後方に位置して該第二ガイドブロックをその弾発力により上方に向けて支持する弾力部材を設置する弾力部材収容孔を備え、
前記第三ガイドブロックは、ケース体に設けた前記第一挿入軸孔脇に設けた第二挿入軸に嵌合されてその廻りに第三ガイドブロックを回動可能に支持する回転柱、該回転柱から延長形成されて
前記第二ガイドブロックの連動片の挿入孔と共に心軸を挿通してする穿孔、該穿孔下方位置でケース体内に配置された複数の制止ブロックを外周に設けたターンテーブルに相対する複数の定位片、及び該穿孔上縁に位置する凸出部を備え、
前記弾力部材の弾発力により第一ガイドブロックが最高位置にある時は、第一ガイドブロックの第一挟体と第三ガイドブロックの凸出部はケース体の第二挿入軸脇に設けられて固定した挟柱にそれぞれ当接して、ターンテーブル外周に設けられた制止ブロックから退避した位置にあり、
前記第一ガイドブロックのプッシュ片を押圧操作して前記弾力部材の弾発力に抗して第一ガイドブロックが最低位置にある時には、第一ガイドブロックおよび第三ガイドブロックはそれぞれ回動軸の廻りに回動して第一ガイドブロック第一挟体と第三ガイドブロック凸出部は、前記挟柱からそれぞれ離れて第三ガイドブロックの定位片はターンテーブル外周の制止ブロックに接触するようになり、
さらに、第一ガイドブロックのプッシュ片をスライド操作してその移動片と第一挟片が、第二ガイドブロックの第二挟片を完全に挟持すると、第一ガイドブロックの第一挟体は、第三ガイドブロックの凸出部と該挟柱の間で固定されることを特徴とする自動伸縮ドッグリードの安全解放装置。
【請求項２】
前記ケース体内のターンテーブル外周には、リード体を環状に巻きつけて設置し、該リード体末端には、ペットの首輪に嵌合する嵌合リングを備えることを特徴とする請求項１に記載の自動伸縮ドッグリードの安全解放装置。
【請求項３】
前記ケース体内には、該リード体が出入りする開口を設置することを特徴とする請求項２に記載の自動伸縮ドッグリードの安全解放装置。
【請求項４】
前記ケース体には、該第二ガイドブロックを対応させられる収容設置開口を設けたことを特徴とする請求項３に記載の自動伸縮ドッグリードの安全解放装置。
【請求項５】
前記ケース体には、前記弾力部材を対応する第三挿入凹部を設置したことを特徴とする請求項４に記載の自動伸縮ドッグリードの安全解放装置。
【請求項６】
前記弾力部材は、バネであることを特徴とする請求項５に記載の自動伸縮ドッグリードの安全解放装置。
【考案の詳細な説明】
【技術分野】
【０００１】
本考案は、自動伸縮ドッグリードに関し、特に自動伸縮ドッグリードの安全解放装置に関する。
【背景技術】
【０００２】
図１〜図３に示すように、従来の自動伸縮ドッグリード安全解放装置の構造は、ケース体７０内にターンテーブル７１を設置する。
該ターンテーブル７１外周には、フックを備えるリード７３を巻きつけて設置し、ターンテーブル７１一面には、複数の定位部７４を放射状に設置する。
該ケース体７０には、リード７３がスライドして出入りする開口７５を設置する。
該ケース体７０のターンテーブル７１後方には、使用者が把持するハンドル７６を設置する。
開口７５後方、ターンテーブル７１、ハンドル７６の三者間の部位には、操作開口７７を設置し、前記三者間には、圧迫バー７８、圧迫バー７８上でスライドするプッシュボタン７９、ケース体７０上に設置されてプッシュボタン７９の凸点８０に停止固定を形成させる定点８１、プッシュボタン７９の外リング８２と接触する斜向リング８３を設置する。
斜向リング８３脇には、解放装置本体８４を設置し、解放装置本体８４は、ケース体７０内部に巻いて設置されたバネ８５に接する。
解放装置本体８４下端は、係合フック８６を延伸し、プッシュボタン７９を操作してその外リング８２に接する斜向リング８３を押し込んで係合フック８５をターンテーブル７１の任意の定位部７４と接触させることにより、ターンテーブル７１が回転することを制止し、ケース体７０外に繰り出したリード７３を使用者が望む長さに確保することができる。
【０００３】
しかし、上述した従来の自動伸縮ドッグリード安全解放装置の構造では、外リング８２と斜向リング８３の間には相互の位置関係を固定する構造がないため、内部部材がグラグラして損壊しやすいという問題がある。
【先行技術文献】
【特許文献】
【０００４】
【特許文献１】特開２０１１−１７２４９６号公報
【特許文献２】登録実用新案３１０７１８６号公報
【考案の概要】
【考案が解決しようとする課題】
【０００５】
本考案の目的は、安全解放装置がケース体内で予め設定された位置からずれることがなく、しかも正常な作動を保持でき、故障しにくい自動伸縮ドッグリード安全解放装置を提供することである。
【課題を解決するための手段】
【０００６】
本考案の自動伸縮ドッグリード安全解放装置は、第一ガイドブロック、第二ガイドブロック、第三ガイドブロックを備え、
該第一ガイドブロックは、プッシュ片、該プッシュ片下方に設置される移動片、該移動片下方に設置される第一挟片、及び該第一挟片下方に位置する第一挟体を備え、
該第二ガイドブロックは、ケース体の第一挿入軸孔に設置される柱状体、該住状物と連接する延伸部、該移動片と対応し該第一挟片と接触する第二挟片、該延伸部から下へ向かい、しかも挿入孔を備える複数の連動片、及び該第二挟片後方に位置し、弾力部材を設置する弾力部材収容孔を備え、
該第三ガイドブロックは、該第一挿入軸孔脇に設置される第二挿入軸の廻りに回転する回転柱、該回転柱から延伸し、該各連動片の挿入孔と対応後に心軸を穿設する穿孔、該穿孔下方の該ケース体内に位置し、しかも複数の制止ブロックを設置するターンテーブルに接触する複数の定位片、及び該穿孔上縁に位置する凸出部を備え、
該弾力部材が最高位置にある時には、該第一挟体と該凸出部は、該第二挿入軸脇に設置される挟柱にそれぞれ接触し、該弾力部材が最低位置にある時には、該第一挟体と該凸出部は、該挟柱からそれぞれ離れ、しかも該各定位片は該制止ブロックに接触し、
該移動片と該第一挟片が、該第二挟片を完全に挟持する時には、該第一挟体は、該凸出部と該挟柱の間に位置し、
該ケース体内のターンテーブル外周には、リード体を環状に巻きつけて設置し、該リード体末端には、ペットの首に嵌めることができる嵌合リングを備え、
該ケース体内には、該リード体が出入りする開口を設置し、
該ケース体には、該第二ガイドブロックを対応させられる収容設置開口を設置し、
該ケース体には、該弾力部材を対応させられる第三挿入凹部を設置し、
該弾力部材は、バネである。
【考案の効果】
【０００７】
本考案は、第一ガイドブロック、第二ガイドブロック、第三ガイドブロックがケース体内で予め設定された位置からずれることがなく、しかも正常な作動を保持でき、故障しにくいという効果を備える。
【図面の簡単な説明】
【０００８】
【図１】従来の自動伸縮ドッグリード安全解放装置の構造の内部断面図である。
【図２】図１の局部作動模式図である。
【図３】図２のさらに進んだ作動模式図である。
【図４】本考案実施例の組合せ完成斜視図である。
【図５】図４の内部構造の模式図である。
【図６】図５の内部構造の別の角度からの模式図である。
【図７】図５の局部拡大立体分解図である。
【図８】図７の組合せ完成後の模式図であり、弾力部材が最高位置にある時、第一挟体と凸出部が第二挿入軸脇に設置される挟柱にそれぞれ接触する様子を示す。
【図９】図８の局部拡大模式図である。
【図１０】図８のさらに進んだ作動模式図である。
【図１１】図１０の局部拡大模式図であり、第一挟体と凸出部が挟柱からそれぞれ離れ、しかも各定位片が制止ブロックに接触する様子を示す。
【図１２】図１０のさらに進んだ作動模式図である。
【図１３】図１２の局部拡大模式図であり、移動片と第一挟片が第二挟片を完全に挟持する時、第一挟体が凸出部と挟柱の間に位置する様子を示す。
【考案を実施するための形態】
【０００９】
以下に図面を参照して本件発明の具体的態様を説明する。
【実施例】
【００１０】
図４〜図１３に示すように、本考案の自動伸縮ドッグリードの安全解放装置の実施例は、把持部を備えたケース体４内にリード体４３２を券回したターンテーブル４３を配置し、第一ガイドブロック１、第二ガイドブロック２、第三ガイドブロック３を備える(図７参照)。
【００１１】
該第一ガイドブロック１は、スライド操作するためのプッシュ片１１、該プッシュ片１１を上面に形成してスライドする移動片１２、該移動片１２下方に設置される第一挟片１３、及び該第一挟片１３下方に位置する第一挟体１４を備える。
【００１２】
前記第二ガイドブロック２は、ケース体４の第一挿入軸孔４１に回動可能に嵌合設置される柱状体２１、該柱状体２１と連接する延伸部２２、前記移動片１２と第一挟片１３とに間に挟持されてそのスライド移動をガイドする第二挟片２３、該延伸部２２から下方に延長されて挿入軸孔２４１を備える一対の連動片２４、及び該第二挟片２３後方に位置して弾力部材５を設置する弾力部材収容孔２５を有する。
該弾力部材５は、バネである。
【００１３】
前記第三ガイドブロック３は、前記第一挿入軸孔４１脇に設置される第二挿入軸４２に嵌合して第三ガイドブロック３をその廻りに回動可能に支持する回転柱３１、該回転柱３１から延伸し、前記第二ガイドブロック２の連動片２４の挿入軸孔２４１と対応すると共に心軸６を挿通する穿孔３２を設け、更に、前記ケース体４内に配置されて外周に複数の制止ブロック４３１を設けたターンテーブル４３に接触する複数の定位片３３を該穿孔３２下方に設け、該穿孔３２上縁に位置して凸出部３４を備える。
【００１４】
前記ケース体４内のターンテーブル４３外周には、リード体４３２を環状に巻きつけて収容し、該リード体４３２末端には、ペットの首輪に嵌合する嵌合リングを備える。
【００１５】
該ケース体４内には前記リード体４３２を繰り出す開口４３４を設け、該ケース体４には、該第二ガイドブロック２に対応する収容開口４３５を設け、さらに、前記弾力部材５に対応する第三挿入開口４３６を設ける。
【００１６】
上述の各部材の組合せにより、図４〜図１３に示すように、本考案の自動伸縮ドッグリードの安全解放装置の一実施例において、前記弾力部材５の弾発力により第二ガイドブロック２が最高位置にある時には、第一ガイドブロック１の第一挟体１４と第三ガイドブロック３の凸出部３４は、前記ケース体４内に設けた第二挿入軸４２脇に設置される固定された挟柱４４にそれぞれ当接して第三ガイドブロック３の定位片３３はターンテーブル４３の制止ブロック４３１に接触しない位置に退避する（図８、９参照）。
【００１７】
第一ガイドブロック１のプッシュ片１１を操作して弾力部材５を押圧して第二ガイドブロック２を最低位置に押し込む時には、第一ガイドブロック２は押し下げられて前記柱状体２１の廻りに回動し、同時に心軸６を介して第三ガイドブロック３を第二挿入軸４２の廻りに回動させて、第一ガイドブロック１の第一挟体１４と第三ガイドブロック３の凸出部３４は、固定した位置にある挟柱４４からそれぞれ離れ、第三ガイドブロック３の定位片３３はターンテーブル４３外周の制止ブロック４３１に接触する（図１０、１１参照）。
【００１８】
上記の操作後にプッシュ片１１を図１２，１３の左方にスライド操作すると、
第一ガイドブロック１の移動片１２と第一挟片１３が、第二ガイドブロック２の第二挟片２３を完全に挟持する状態となり、該第一挟体１４は、第三ガイドブロック３の凸出部３４と固定された挟柱４４の間に位置して固定される。
【００１９】
こうして、該第一ガイドブロック１、該第二ガイドブロック２、該第三ガイドブロック３は、該ケース体４内で、これらの間で予め設定された位置をずれることがなく、しかも正常な作動を保持でき、故障しにくい。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
１  第一ガイドブロック
１１  プッシュ片
１２  移動片
１３  第一挟片
１４  第一挟体
２  第二ガイドブロック
２１  柱状体
２２  延伸部
２３  第二挟片
２４１  挿入孔
２４  連動片
２５  弾力部材収容孔
３  第三ガイドブロック
３１  回転柱
３２  穿孔
３３  定位片
３４  凸出部
４  ケース体
４１  第一挿入軸孔
４２  第二挿入軸
４３  ターンテーブル
４３１  制止ブロック
４３２  リード体
４３４  開口
４３５  収容設置開口
４３６  第三挿入凹部
４４  挟柱
５  弾力部材
６  心軸
７０  ケース体
７１  ターンテーブル
７３  リード
７４  定位部
７５  開口
７６  ハンドル
７７  操作開口
７８  圧迫バー
７９  プッシュボタン
８０  凸点
８１  定点
８２  外リング
８３  斜向リング
８４  解放装置本体
８５  バネ
８６  係合フック
【図１】
0003218921.tif 000003
【図２】
0003218921.tif 000004
【図３】
0003218921.tif 000005
【図４】
0003218921.tif 000006
【図５】
0003218921.tif 000007
【図６】
0003218921.tif 000008
【図７】
0003218921.tif 000009
【図８】
0003218921.tif 000010
【図９】
0003218921.tif 000011
【図１０】
0003218921.tif 000012
【図１１】
0003218921.tif 000013
【図１２】
0003218921.tif 000014
【図１３】
0003218921.tif 000015